(57)【要約】【課題】接続ケーブルのコネクタの接続及び電力供給状態を簡単に識別することができる電力出力装置を提供する。【解決手段】側面に複数の孔と少なくとも１以上の孔とを形成したボードを具えてなる電源供給機と、該電源供給機の内部に設けられる第１出力モジュールと、側面に形成された少なくとも１以上の孔座と、該孔座に一端を挿入して固定接続する少なくとも１以上の第１コネクタヘッドと、該第１コネクタヘッドに接続する少なくとも１以上の第２コネクタヘッドを一端に設け、他端にコネクタを設けた接続ケーブルと、少なくとも１以上の第１コネクタヘッドに接続して、電気回路板に電力を出力する第２電気回路板とを含んでなり、コンピュータとその周辺機器の電源に接続して電力を供給する。【選択図】図３
0003121064.tif 000002
【実用新案登録請求の範囲】
【請求項１】
側面に複数の孔と少なくとも１以上の孔とを形成したボードを具えてなる電源供給機と、
該電源供給機の内部に設けられる第１出力モジュールと、
側面に形成された少なくとも１以上の孔座と、該孔座に一端を挿入して固定接続する少なくとも１以上の第１コネクタヘッドと、該第１コネクタヘッドに接続する少なくとも１以上の第２コネクタヘッドを一端に設け、他端にコネクタを設けた接続ケーブルと、
少なくとも１以上の第１コネクタヘッドに接続して、電気回路板に電力を出力する第２電気回路板とを含んでなり、コンピュータとその周辺機器の電源に接続して電力を供給することを特徴とする電力出力装置。
【請求項２】
前記第２出力モジュールは、少なくとも１以上の位置決め板上に形成した孔座に隣接して設けられ、電力の出力と同時に発光する発光素子とを具えてなることを特徴とする請求項１に記載の電力出力装置。
【請求項３】
前記発光素子は発光ダイオードなどから形成することを特徴とする請求項２に記載の電力出力装置。
【請求項４】
前記第２出力モジュールは、発光素子が発した光線に対応して電力の供給状態を表示する少なくとも１以上の透光素子を含んでなることを特徴とする請求項１に記載の電力出力装置。
【請求項５】
前記透光素子は、サーモプラスティック、アクリル、ガラスなどの材料から形成し、孔、孔座、第１コネクタヘッドヘッドに対応する位置に設けられ、発光素子の表面に設けることを特徴とする請求項４に記載の電力出力装置。
【請求項６】
前記第２出力モジュールは、位置決め板と第２電気回路板との間に設けて両者の間に隙間を形成する複数の位置決め柱を含んでなることを特徴とする請求項１に記載の電力出力装置。
【請求項７】
前記第１コネクタヘッドは、一端を位置決め板に形成した孔座に挿入してナットで螺接し、外周面上に螺子溝が形成された他端を電源供給装置のボードに貫通して接続ケーブルを接続することを特徴とする請求項１に記載の電力出力装置。
【請求項８】
前記第１コネクタヘッドは、各種コンピュータ及び周辺設備の電力入力端に接続するコネクタヘッドに適用することができるとともに、コネクタヘッドのオス座、もしくはメス座の１つからなることを特徴とする請求項１に記載の電力出力装置。
【請求項９】
前記接続ケーブルの第２コネクタヘッドは、第１コネクタヘッドに挿入して接続するコネクタヘッドがオス座か、もしくはメス座からなることを特徴とする請求項１に記載の電力出力装置。
【請求項１０】
前記第２コネクタヘッドは、第１コネクタヘッドに挿入接続して、第１コネクタヘッドの外周の螺子溝に螺接する固定部材を含んでなることを特徴とする請求項９に記載の電力出力装置。
【請求項１１】
側面に複数の孔と少なくとも１以上の孔とを形成したボードを具えてなる電源供給機と、
該電源供給機の内部に設けられ、ボードに固定接続する第１コネクタヘッドと、一端に第１コネクタヘッドに接続する第１コネクタヘッドを設けてなり、他端にコネクタを設けてなる第１出力モジュールと、
電源供給装置の内部に設けられ、少なくとも１以上の孔座を形成した位置決め板と、該孔座に固定接続する少なくとも１以上の第１コネクタヘッドと、一端が該第１コネクタヘッドに接続し、他端にコネクタを設けてなる大２コネクタヘッドの接続ケーブルと、
少なくとも1以上の第1コネクタヘッドと電気回路板に接続して電力を出力する第２電気回路板とを含んでなり、コンピュータとその周辺機器の電源に接続して電力を供給することを特徴とする電力出力装置。
【請求項１２】
前記第１コネクタヘッドは、複数のピンを具えたコネクタヘッドのオス座、メス座のいずれか１つからなることを特徴とする請求項１１に記載の電力出力装置。
【請求項１３】
前記第２コネクタヘッドは、第１コネクタヘッドに接続するコネクタヘッドがオス座、メス座のいずれか１つからなることを特徴とする請求項１１に記載の電力出力装置。
【考案の詳細な説明】
【技術分野】
【０００１】
この考案は、電力出力装置に関し、特にコンピュータに電源を供給する電源供給機の電力出力装置に関する。
【背景技術】
【０００２】
現在、マザーボード、中央処理装置（ＣＰＵ）、各種データ保存素子（ハードディスク機器、光ディスクの保存、読み取り機器、リードカードなど）、各種インタフェイスカードなどを含むコンピュータ周辺の操作に必要な電力は、いずれも電源供給機及びその他電力コンセントを具えた電力出力線に連接して供給する。
【０００３】
図１に、従来の電源供給機を開示する。図面によれば、電源供給機は、本体１と、複数の接続ケーブル１１とを含んでなる。該接続ケーブル１１は、電源供給機１の電力出力端に予め設けられている。しかしながら、予め設けられている接続ケーブルは本数が足りないか、もしくはコネクタのコネクタヘッドの型式が異なる場合、全く拡充できないか、接続できない。しかしながら、上述のような状況が発生することを防ぐため、複数の、もしくは異なる型式の接続ケーブル１１およびコネクタヘッドを設けと、コンピュータの周辺設備のケーブルが複雑になり、コンピュータの散熱効率に影響を与え、電源供給機のコストも増加させる。
【０００４】
図１Ａに、他の従来の電源供給機を開示する。図面によれば、電源供給機は、本体１ａと、該本体１ａの一端に設けられた複数のメス型のコネクタ１０ａと、電力接続ケーブル１１ａと、該メス型のコネクタ１０ａに挿入するために電力接続ケーブル１１ａの一端に設けられたオス型のコネクタヘッド１２ａとを含んでなり、電源供給機の本体１ａのメス型のコネクタ１０ａに、オス型のコネクタヘッド１２ａを挿接して電力コネクタケーブル１１ａを通して電力をコンピュータ機器に出力する。
【０００５】
前述の電源供給機の電力接続ケーブルのコネクタは、予め設けられている形式ではない。該単独に設けられた接続ケーブルは、電力を出力供給する必要に応じて接続する。しかしながら、接続ケーブルと、電源供給機の電力出力端のコネクタ、もしくはコネクタヘッドはいずれも挿入接続する方式で接続するため、挿接する力が小さい場合、接続が緩み易く電力の供給、出力に影響を与える。また、例えば正常に電力が供給されているのか、壊れていて電力供給できないもしくは適宜に電力を供給するために接続できないなど電源供給機のそれぞれの電力出力端の電力供給、出力状態は、利用者が目で確認することいができないため、計測器などにより確認しなければならず、修理などを行う場合、不便である。
【考案の開示】
【考案が解決しようとする課題】
【０００６】
この考案は、接続ケーブルのコネクタの接続及び電力供給状態を簡単に識別することができる電力出力装置を提供することを課題とする。
【課題を解決するための手段】
【０００７】
そこで、本考案の考案者は従来の技術に見られる欠点に鑑みて鋭意研究を重ねた結果、側面に複数の孔と少なくとも１以上の孔とを形成したボードを具えてなる電源供給機と、該電源供給機の内部に設けられる第１出力モジュールと、側面に形成された少なくとも１以上の孔座と、該孔座に一端を挿入して固定接続する少なくとも１以上の第１コネクタヘッドと、該第１コネクタヘッドに接続する少なくとも１以上の第２コネクタヘッドを一端に設け、他端にコネクタを設けた接続ケーブルと、少なくとも１以上の第１コネクタヘッドに接続して、電気回路板に電力を出力する第２電気回路板とを含んでなり、コンピュータとその周辺機器の電源に接続して電力を供給する構造によって課題を解決できる点に着眼し、かかる知見に基づいて本考案を完成させた。
【０００８】
以下、この考案について具体的に説明する。
請求項１に記載する電力出力装置は、側面に複数の孔と少なくとも１以上の孔とを形成したボードを具えてなる電源供給機と、該電源供給機の内部に設けられる第１出力モジュールと、側面に形成された少なくとも１以上の孔座と、該孔座に一端を挿入して固定接続する少なくとも１以上の第１コネクタヘッドと、該第１コネクタヘッドに接続する少なくとも１以上の第２コネクタヘッドを一端に設け、他端にコネクタを設けた接続ケーブルと、少なくとも１以上の第１コネクタヘッドに接続して、電気回路板に電力を出力する第２電気回路板とを含んでなり、コンピュータとその周辺機器の電源に接続して電力を供給する。
【０００９】
請求項２に記載の電力出力装置は、請求項１における第２出力モジュールが、少なくとも１以上の位置決め板上に形成した孔座に隣接して設けられ、電力の出力と同時に発光する発光素子とを具えてなる。
【００１０】
請求項３に記載の電力出力装置は、請求項２における発光素子が発光ダイオードなどから形成する。
【００１１】
請求項４に記載の電力出力装置は、請求項１における第２出力モジュールが、発光素子が発した光線に対応して電力の供給状態を表示する少なくとも１以上の透光素子を含んでなる。
【００１２】
請求項５に記載の電力出力装置は、請求項４における透光素子が、サーモプラスティック、アクリル、ガラスなどの材料から形成し、孔、孔座、第１コネクタヘッドヘッドに対応する位置に設けられ、発光素子の表面に設ける。
【００１３】
請求項６に記載の電力出力装置は、請求項１における第２出力モジュールが、位置決め板と第２電気回路板との間に設けて両者の間に隙間を形成する複数の位置決め柱を含んでなる。
【００１４】
請求項７に記載の電力出力装置は、請求項１における第１コネクタヘッドが、一端を位置決め板に形成した孔座に挿入してナットで螺接し、外周面上に螺子溝が形成された他端を電源供給装置のボードに貫通して接続ケーブルを接続する。
【００１５】
請求項８に記載の電力出力装置は、請求項１における第１コネクタヘッドが、各種コンピュータ及び周辺設備の電力入力端に接続するコネクタヘッドに適用することができるとともに、コネクタヘッドのオス座、もしくはメス座の１つからなる。
【００１６】
請求項９に記載の電力出力装置は、請求項１における接続ケーブルの第２コネクタヘッドが、第１コネクタヘッドに挿入して接続するコネクタヘッドがオス座か、もしくはメス座からなる。
【００１７】
請求項１０に記載の電力出力装置は、請求項９における第２コネクタヘッドが、第１コネクタヘッドに挿入接続して、第１コネクタヘッドの外周の螺子溝に螺接する固定部材を含んでなる。
【００１８】
請求項１１に記載の電力出力装置は、側面に複数の孔と少なくとも１以上の孔とを形成したボードを具えてなる電源供給機と、該電源供給機の内部に設けられ、ボードに固定接続する第１コネクタヘッドと、一端に第１コネクタヘッドに接続する第１コネクタヘッドを設けてなり、他端にコネクタを設けてなる第１出力モジュールと、電源供給装置の内部に設けられ、少なくとも１以上の孔座を形成した位置決め板と、該孔座に固定接続する少なくとも１以上の第１コネクタヘッドと、一端が該第１コネクタヘッドに接続し、他端にコネクタを設けてなる大２コネクタヘッドの接続ケーブルと、少なくとも1以上の第1コネクタヘッドと電気回路板に接続して電力を出力する第２電気回路板とを含んでなり、コンピュータとその周辺機器の電源に接続して電力を供給する。
【００１９】
請求項１２に記載の電力出力装置は、請求項１１における第１コネクタヘッドが、複数のピンを具えたコネクタヘッドのオス座、メス座のいずれか１つからなる。
【００２０】
請求項１３に記載の電力出力装置は、請求項１１における第２コネクタヘッドが、第１コネクタヘッドに接続するコネクタヘッドがオス座、メス座のいずれか１つからなる。
【考案の効果】
【００２１】
この考案の電力出力装置は、着脱が簡単であるとともに、発光素子により電力を供給する状態が簡単に識別することができる効果を有する。
【考案を実施するための最良の形態】
【００２２】
この考案は、接続ケーブルのコネクタの接続及び電力供給状態を簡単に識別することができる電力出力装置を提供するものであって、側面に複数の孔と少なくとも１以上の孔とを形成したボードを具えてなる電源供給機と、
該電源供給機の内部に設けられる第１出力モジュールと、側面に形成された少なくとも１以上の孔座と、該孔座に一端を挿入して固定接続する少なくとも１以上の第１コネクタヘッドと、該第１コネクタヘッドに接続する少なくとも１以上の第２コネクタヘッドを一端に設け、他端にコネクタを設けた接続ケーブルと、少なくとも１以上の第１コネクタヘッドに接続して、電気回路板に電力を出力する第２電気回路板とを含んでなり、コンピュータとその周辺機器の電源に接続して電力を供給する。
かかる電力出力装置の構造と特徴を詳述するために具体的な実施例を挙げ、図示を参照にして以下に説明する。
【実施例】
【００２３】
図２から６に、この考案の電力出力装置を開示する。図面によれば、電源供給機の電力出力装置は、電源供給機２と、該電源供給機２の内部に設けられる第１出力モジュール３と、それぞれが独立して電力を供給することができる選択可能な複数の第２出力モジュール４とを含んでなり、着脱が簡単で、緩み難く、電力の供給状態をすぐに確認することができる。
【００２４】
上述の電源供給機２は、中空に形成され、内部に電源供給を調整する第１電気回路板２１を設けてなる。電源供給機２は、少なくとも１以上のボード２２を設けてなる。該ボード２２は側面に排列して形成された複数の孔２３と、一部に形成した少なくとも１以上の孔２４とを設けてなる。該孔２３は、電源の供給の需要に応じて電気を供給する第２出力装置４に対応するように形成され、孔２３の直径はすべて等しいか、もしくは異なる直径で形成する。
【００２５】
該第１出力装置３は、一般の電源供給機に設けられる電力出力ケーブル３１を具えてなり、一端が電力直流コード３２を通して電源供給機２の内部に設けられた第１電気回路板２１に接続し、他端がコンセント（図示しない）を通して電力を供給し、コンピュータのマザーボード及び中央処理装置（ＣＰＵ）などの操作電源に接続する。
【００２６】
前述の第２出力モジュール４は、位置決め板４１と、第２電気回路板４２との間に適宜な位置に設けた複数の位置決め柱４０を設けなる。該第２電気回路板４２と、前述の第１電気回路板２１との間は、電力を供給するために連結される。位置決め板４１は側面に複数の排列した孔座４３を形成し、外周面上に螺子溝４４を形成した第１コネクタヘッド４６の一端を該孔座４３に挿入してナット４５をそれぞれの第１コネクタヘッド４６に螺接し、該第１コネクタヘッドの他端がボード２２の側面に形成した孔２３を貫通して、電源供給機２の外側に延伸する。即ち、該第１コネクタヘッド４６はコネクタヘッドの一部及び螺子溝４４が電源供給機２の外部に露出し、一端が前述の第２電気回路板４２に電気接続して単独で電力を供給する機能を有し、接続ケーブル５を通して電力を接続する装置に電力を出力する。
【００２７】
前述の第１コネクタヘッド４６は、各種コンピュータ及び周辺設備の電力入力端に接続するコネクタヘッドに適用することができるとともに、コネクタヘッドのオス座、もしくはメス座の１つからなる。
【００２８】
前述の第２出力モジュール４は、孔座４３と同じ数の発光素子４７と透光素子４８とを具えてなる。該発光素子４７は、発光ダイオードか、もしくはいずれかの発光素子の１つから形成し、位置決め板４１上の孔座４３に隣接する位置に固定して設けられ、該孔座４３に挿入した第１コネクタヘッド４６が電力を出力すると発光する。前述の透光素子４８は、前述の孔２３、孔座４３、もしくは第１コネクタヘッド４６に対応してリング状に形成し易いサーモプラスティック、アクリル、もしくはガラスなどの材料から形成するとともに、発光素子４７が発した光線をリング状に拡散するか、もしくは広い面積で表示する。
【００２９】
少なくとも１以上の第２出力モジュール４の第１コネクタヘッド４６の１つに接続する接続ケーブル５は、一端に第１コネクタヘッド４６に対応する第２コネクタヘッド５１が設けられている。該第２コネクタヘッド５１は、オス座か、もしくはメス座の内の１つからなるとともに、例えば内周面に形成した螺子溝などの固定部材５２を設けてなり、第１コネクタヘッド４６に挿入し接続する場合、第１コネクタヘッド４６の螺旋溝４４に固定部材５２を接続して固定する。また、接続ケーブル５は、他端にコネクタ５３を設けてコンピュータ及びコンピュータ周辺機器の電力入力端に電力を供給するために挿接する。
【００３０】
実際に使用する場合、該電源供給機２は、第１出力モジュール３の電力出力ケーブル３１によりコンピュータのマザーボード及び中央処理装置（ＣＰＵ）などに接続して操作電源を供給し、電力供給の需要に応じて接続ケーブル５を通して第２コネクタヘッド５１と第２出力モジュール４の第１コネクタヘッドヘッド４６を接続し、固定部材５２により第１コネクタヘッドヘッド４６の螺子溝４４を螺接して着脱が簡単で、緩み難い接合性を具えてなる。
【００３１】
孔座４３に隣接して設けられた発光素子４７は、第１コネクタヘッドヘッド４６が電力を出力すると同時に発光し、発光素子４７の光線が透光素子４８を通ると発光する面積が拡大されるため、第１コネクタヘッド４６が電力を供給しているかどうかを簡単に確認することができる。
【００３２】
図７、８に、この考案の他の実施例を開示する。図面によれば、基本的な構造は図２から６に開示する考案と同じである。しかし、この実施例では、第１出力モジュール３が前述の第２出力モジュール４と同じ構造からなり、複数のピンを具えた第１コネクタヘッド６を利用して設けられ第１電気回路板２１に電気接続する。電力接続ケーブル７を一端に具えてなる第２コネクタヘッド７１を第１コネクタヘッド６に接続して、コンピュータとコンピュータの周辺設備に電力を供給する。
【００３３】
電源供給機２、接続ケーブル５、電力接続ケーブル７などはいずれも完全に独立し、必要に応じて簡単に着脱、接続することができるとともに、電源供給機を包装し、運送するために便利である。また、コンピュータのケースに設ける場合、接続ケーブルが複雑になることがないため、コンピュータケース内部のコードの配置が簡単で熱を具えた空気を外部に放出され易くなり、空気が内部に留まることがない。
【００３４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３５】
【図１】従来の電力出力装置を示した説明図である。
【図１Ａ】図１に開示する電力出力装置を示した説明図である。
【図２】この考案の電力出力装置を示した分解図である。
【図３】図２に開示する電力出力装置を組み合わせた場合を示した説明図である。
【図４】図２に開示する電力出力装置を示した説明図である。
【図５】図２に開示する電力出力装置の使用状態を示した説明図である。
【図６】図２に開示する電力出力装置の接続状態を示した部分拡大図である。
【図７】この考案の電力出力装置の他の実施例を示した説明図である。
【図８】図７に開示する電力出力装置の使用状態を示した説明図である。
【符号の説明】
【００３６】
１          本体
１ａ        本体
１０ａ      メス型のコネクタ
１１        接続ケーブル
１１ａ      電力接続ケーブル
１２ａ      オス型のコネクタヘッド
２          電源供給機
２１        第１電気回路板
２２        ボード
２３        孔
２４        孔
３          第１出力モジュール
３１        電力出力ケーブル
３２        電力直流コード
４          第２出力モジュール
４０        位置決め柱
４１        位置決め板
４２        第２電気回路板
４３        孔座
４４        螺子溝
４５        ナット
４６        第１コネクタヘッド
４７        発光素子
４８        透光素子
５          接続ケーブル
５１        第２コネクタヘッド
５２        固定部材
５３        コネクタ
６          第１コネクタヘッド
７          電力接続ケーブル
７１        第２コネクタヘッド
【図１】
0003121064.tif 000003
【図１Ａ】
0003121064.tif 000004
【図２】
0003121064.tif 000005
【図３】
0003121064.tif 000006
【図４】
0003121064.tif 000007
【図５】
0003121064.tif 000008
【図６】
0003121064.tif 000009
【図７】
0003121064.tif 000010
【図８】
0003121064.tif 000011